(57)【要約】【課題】室内側に内部拠点を設けることなく、火災時に消防活動や救助活動を行う者が安全に室内に進入することができる扉を提供することで、室内の有効スペースを広くし、且つ設備コストの低減を図ることを目的としている。【解決手段】火災時に消防活動や救助活動を行う者が室内に進入するために設けられた出入口２に設置される扉１であって、複数の小扉１１〜１４が上下方向に並設された構成からなる。【選択図】図１
2008106453.tif 000002
【特許請求の範囲】
【請求項１】
火災時に消防活動や救助活動を行う者が室内に進入するために設けられた出入口に設置される扉であって、
複数の小扉が上下方向に並設された構成からなることを特徴とする扉。
【請求項２】
請求項１記載の扉において、
小扉は、該小扉が開けられるときにその直ぐ下に配設された他の小扉に係合される構成になっていることを特徴とする扉。
【請求項３】
請求項１または２記載の扉において、
上下の小扉の対向する上端面および下端面はそれぞれ段状に形成されており、
下側の小扉の上端面と上側の小扉の下端面とは噛み合わされていることを特徴とする扉。
【請求項４】
請求項１から３のいずれかに記載の扉において、
小扉には、扉の外から室内の火災状況を検知するための火災状況検知手段が設けられていることを特徴とする扉。
【請求項５】
請求項４記載の扉において、
前記火災状況検知手段は、扉の外から室内を観察するための室内観察窓であることを特徴とする扉。
【発明の詳細な説明】
【技術分野】
【０００１】
本発明は、消防隊進入用の出入口に設置される扉に関する。
【背景技術】
【０００２】
火災時の消防活動は、バルコニーや外部廊下等の外部空間を消防活動拠点として行われる場合が多い。これは、上記外部空間は、火災による煙等が溜まることが無く、恒常的に安全な空間であるからである。このように、外部空間を消防活動の拠点とすると、消防隊員にとって非常に高い安全性および安心感が与えられる。
ところで、外部空間と居室との間に壁がある場合には、消防隊員はその壁に設けられた出入口から居室内に進入することになる。この出入口には、外部空間側から開けることができる扉が設けられ、消防隊員はこの扉を開けて室内に進入する（例えば、特許文献１参照。）。
【０００３】
ところが、室内の火煙が天井を伝って扉の上部まで燃え広がっていると、扉を開けた瞬間に室内の火煙が出入口から噴出し、消防隊員が一時的に危険に晒されるおそれがある。したがって、扉を開けるときは十分に注意を払う必要があるが、通常、扉を開放せずに室内の状況を把握することは困難である。
そこで、従来、上記した扉（外扉）の室内側に、壁で囲まれた内部拠点を設ける技術がある。内部拠点には、内部拠点内を給気加圧する設備が備えられており、また、内部拠点を構成する壁には、室内に入るための扉（内扉）が設けられており、この内扉から室内に進入可能となっている。このような内部拠点がある居室の消防活動を行う場合には、まず、外扉を開けて外部空間から内部拠点に入り、この内部拠点に給気加圧を行った後、内部拠点に設けられた内扉から室内に進入する。内部拠点は給気加圧されているため、内扉を開けても室内の火煙が内部拠点側に噴出し難く、消防隊員が室内に進入する際の安全性が高められる。
【特許文献１】特開平９−１２５７７３号公報
【発明の開示】
【発明が解決しようとする課題】
【０００４】
しかしながら、上記した従来の技術では、内部拠点によって、日常時に使用される室内の有効スペースが削減されるという問題がある。また、内部拠点に給気加圧設備が必要であり、コストが高くなるという問題がある。
【０００５】
本発明は、上記した従来の問題が考慮されたものであり、室内側に給気加圧設備を備えた内部拠点を設けることなく、火災時に消防活動や救助活動を行う者が安全に室内に進入することができる扉を提供することで、室内の有効スペースを広くし、且つ設備コストの低減を図ることを目的としている。
【課題を解決するための手段】
【０００６】
請求項１記載の発明は、火災時に消防活動や救助活動を行う者が室内に進入するために設けられた出入口に設置される扉であって、複数の小扉が上下方向に並設された構成からなることを特徴としている。
【０００７】
このような特徴により、室内の火煙が扉の上部まで達していたとしても、火煙が達している上方の小扉を閉じたまま、火煙が達していない下方の小扉だけを開けることができ、室内の火煙を噴射させずに扉の一部を開放させることが可能である。
【０００８】
請求項２記載の発明は、請求項１記載の扉において、小扉は、該小扉が開けられるときにその直ぐ下に配設された他の小扉に係合される構成になっていることを特徴としている。
【０００９】
このような特徴により、複数の小扉を開けるときに、開ける小扉のうちで最も上段にある小扉を開けることで、その小扉より下段の小扉も一緒に開けられる。
【００１０】
請求項３記載の発明は、請求項１または２記載の扉において、上下の小扉の対向する上端面および下端面はそれぞれ段状に形成されており、下側の小扉の上端面と上側の小扉の下端面とは噛み合わされていることを特徴としている。
【００１１】
このような特徴により、室内の煙が上下の小扉の隙間から流出し難くなる。
【００１２】
請求項４記載の発明は、請求項１から３のいずれかに記載の扉において、小扉には、扉の外から室内の火災状況を検知するための火災状況検知手段が設けられていることを特徴としている。
【００１３】
このような特徴により、火災状況検知手段によって室内の燃え広がり状況を把握し、火煙がどの小扉まで達しているかを確認し、開けても安全な小扉だけを確実に選んで開けることができる。
【００１４】
請求項５記載の発明は、請求項４記載の扉において、前記火災状況検知手段は、扉の外から室内を観察するための室内観察窓であることを特徴としている。
【００１５】
このような特徴により、室内観察窓により扉の外から室内を覗き見て、室内の燃え広がり状況を確認することができる。
【発明の効果】
【００１６】
本発明に係る扉によれば、室内の火煙を噴出させることなく、扉の一部を開放させることが可能であるため、内部拠点が無くても、火災時に消防活動や救助活動を行う者が室内に安全に進入することができる。したがって、内部拠点を不要とすることができ、日常時に使用される室内の有効スペースを広げることができる。また、内部拠点に設置する給気加圧設備も不要であるため、設備コストの低減を図ることができる。
【発明を実施するための最良の形態】
【００１７】
以下、本発明に係る扉の実施の形態について、図面に基いて説明する。
【００１８】
図１は本実施の形態における扉１の立面図であり、図２は本実施の形態における扉１の縦断面図であり、図３は本実施の形態における扉１の平断面図である。なお、図１はバルコニーや外部廊下等の外部空間側から扉１を見た図である。また、図２における扉１の左側が外部空間であり、扉１の右側が室内空間である。また、図３における扉１の下側が外部空間であり、扉１の上側が室内空間である。
【００１９】
図１、図２、図３に示すように、外部空間と室内空間とを隔てる壁Ｗには、火災時に消防活動や救助活動を行う者（消防隊等）が室内に進入するために設けられた出入口２が設けられており、この出入口２には外部空間側から開けることができる扉１が設けられている。
図１、図２に示すように、扉１の概略構成は、複数の小扉１１〜１４が上下方向に並設された構成からなる。つまり、扉１は、大判の扉を横に切り分けて複数の小扉１１〜１４に分割したような構成からなる。本実施の形態では、扉１は４枚の小扉１１〜１４から構成されており、下から第１の小扉１１、第２の小扉１２、第３の小扉１３、第４の小扉１４の順で、縦に積み重ねるように連設されている。これらの小扉１１〜１４は、出入口２のサッシ３内にそれぞれ配設された横長の扉であり、小扉１１〜１４の横寸法Ｗはサッシ枠３の内法幅寸法に対応する寸法になっているが、小扉１１〜１４の縦寸法Ｈ１〜Ｈ４は適宜変更可能である。また、小扉１１〜１４の材質や内部構成などは、公知の各種の扉と同様でよく、例えば公知の防火扉と同様の材質や内部構造にすることができる。ただし、耐火性能を考慮して鋼製や耐火樹脂製、鋳物製等とすることが好ましい。
【００２０】
図３に示すように、小扉１１〜１４は、室内側に開く片開き戸であり、具体的には、各小扉１１〜１４の一端（図１における右側の端部）が丁番４を介してサッシ３のたて枠にそれぞれ取り付けられている。
【００２１】
また、図２に示すように、上下の小扉１１〜１４の上端面１１ａ〜１３ａと下端面１２ｂ〜１４ｂとが噛み合わされるような形状になっている。具体的には、上下の小扉１１〜１４の対向する上端面１１ａ〜１３ａおよび下端面１２ｂ〜１４ｂがそれぞれ段状に形成されている。つまり、小扉１１〜１４同士の接合面は、室内空間側の面の高さレベルが屋外空間側の面の高さレベルよりも高くなっている。
【００２２】
また、小扉１１〜１４は、上記した小扉１１〜１４同士の段状の接合面（上端面１１ａ〜１３ａおよび下端面１２ｂ〜１４ｂ）が上記したように噛み合わされるような形状であると同時に、何れかの小扉１２〜１４が開けられるときにその直ぐ下に配設された他の小扉１１〜１３も一緒に開けられる構成になっている。つまり、小扉１２〜１４は、その小扉１２〜１４が開けられるときにその直ぐ下に配設された他の小扉１１〜１３に係合する構成になっている。具体的には、最下段の小扉１１以外の小扉１２〜１４の下部には、下方に突出する当接部１２ｃ〜１４ｃが設けられており、最上段の小扉１４以外の小扉１１〜１３の上部には、その小扉１１〜１３の直ぐ上にある小扉１２〜１４の当接部１２ｃ〜１４ｃに当接する被当接部１１ｄ〜１３ｄが設けられている。
【００２３】
また、図１、図３に示すように、各小扉１１〜１４には、扉１の外から室内の火災状況を検知するための火災状況検知手段として、扉１の外（外部空間側）から室内を観察するための室内観察窓１５…がそれぞれ形成されている。これら室内観察窓１５…は、図３に示すように、小扉１１〜１４に形成された開口１１ｅ〜１４ｅの内側にガラス１５ａが嵌合されているとともに、開口１１ｅ〜１４ｅを塞ぐ蓋１５ｂ（ハッチ）が外部空間側に取り付けられた構成からなる。なお、本実施の形態では、矩形の開口１１ｅ〜１４ｅが形成されているが、開口形状は適宜変更可能であり、例えば円形の開口であってもよい。また、ガラス１５ａは、耐火性、耐熱性、透明性を有する防火ガラスからなる。また、蓋１５ｂは、断熱性を有する材料からなり、必要に応じて開閉できる構成となっている。なお、蓋１５ｂが、片開き戸のように開閉する構成になっているが、本発明は、例えば、両開き戸のように開閉する蓋であってもよく、或いは引き戸や上げ下げ戸のように開閉する蓋であってもよい。
【００２４】
また、図１、図２に示すように、各小扉１１〜１４には、小扉１１〜１４を開閉させるための取手１６…がそれぞれ設けられている。これらの取手１６…は、小扉１１〜１４の開き方向側（室内側）の面に付設されており、室内空間の中から小扉１１〜１４を開ける場合に用いられる。また、外部空間側から小扉１１〜１４を開ける場合には、小扉１１〜１４を手で押すことで開けられる。
なお、開けられた小扉１１〜１４及び蓋１５ｂ…は、公知のドアクローザーや付勢部材等によって自動的に閉められる構成としてもよく、或いは、ドアクローザー等を設けずに手で閉める構成にしてもよい。
【００２５】
次に、室内空間で火災が発生した際に、外部空間を消防活動拠点にした消防隊員が、外部空間から出入口２を通って室内空間に進入する場合における、上記した構成からなる扉１の使用方法について説明する。
【００２６】
まず、屋外空間側から室内の状況を確認する。具体的には、図１、図３に示すように、室内観察窓１５…の蓋１５ｂを開けて、ガラス１５ａ越しに室内の火煙の燃え広がり状況を目視で確認する。このとき、複数の小扉１１〜１４にそれぞれ設けられた室内観察窓１５…の各蓋１５ｂをそれぞれ開けて、各室内観察窓１５…からそれぞれ確認を行い、室内の火煙が扉１のどの辺りまで達しているかを確認する。
【００２７】
次に、図４〜図７に示すように、複数の小扉１１〜１４のうち、室内の燃え広がり状況に応じて選定された小扉を開ける。つまり、室内の火煙Ｆが燃え広がってなく、開けたときに火煙Ｆが噴出することがない小扉を選んで開ける。
【００２８】
具体的には、図４に示すように、室内の火煙Ｆが天井から床面近くまで降下しており、下から２番目の小扉（第２の小扉１２）まで火煙Ｆが達している場合には、１番下の小扉１１（第１の小扉１１）を室内側に押して、当該第１の小扉１１だけを開ける。そして、消防隊員が外部空間側で這いつくばった状態で、開かれた第１の小扉１１のところから室内を覗き込み、室内の火点等の詳細を捉える。
【００２９】
一方、図５に示すように、室内の火煙Ｆが扉１の真中の高さ位まで降下しており、下から３番目の小扉（第３の小扉１３）まで火煙Ｆが達している場合には、下から２番目の小扉（第２の小扉１２）を室内側に押して、当該第２の小扉１２およびその下の第１の小扉１１を同時に開ける。つまり、図２、図５に示すように、第２の小扉１２が室内側に押されると、第２の小扉１２の下部に設けられた当接部１２ｃが、第１の小扉１１の上部に設けられた被当接部１１ｄに当接して、第１の小扉１１が第２の小扉１２と一体となって開く。その後、消防隊員は、腰を降ろした状態で、開けられた第１,第２の小扉１１,１２のところから室内の状況を確認したり、室内に進入したりする。
【００３０】
また、図６に示すように、室内の火煙Ｆの天井からの降下が少なく、１番上（下から４番目）の小扉（第４の小扉１４）まで火煙Ｆが達している場合には、上から２番目（下から３番目）の小扉（第３の小扉１３）を室内側に押して、当該第３の小扉１３およびその下の第２の小扉１２、さらにその下の第１の小扉１１を同時に開ける。つまり、図２、図６に示すように、第３の小扉１３が室内側に押されると、第３の小扉１３の下部に設けられた当接部１３ｃが、第２の小扉１２の上部に設けられた被当接部１２ｄに当接して、第２の小扉１２が第３の小扉１３と一体となって開く。また、第２の小扉１２が開くと、第２の小扉１２の下部に設けられた当接部１２ｃが、第１の小扉１１の上部に設けられた被当接部１１ｄに当接して、第１の小扉１１が第２の小扉１２と一体となって開く。このように第１〜第３の小扉１１〜１３が開かれた後、消防隊員は、前屈みの状態で、開けられた第１〜第３の小扉１１〜１３のところから室内の状況を確認したり、室内に進入したりする。
【００３１】
さらに、図７に示すように、室内の火煙Ｆの降下がほとんど無く、１番上（下から４番目）の小扉（第４の小扉１４）まで火煙Ｆが達していない場合には、当該第４の小扉１４を室内側に押して、第４の小扉１４およびその下の第３の小扉１３およびさらにその下の第２の小扉１２さらにその下の第１の小扉１１を同時に開ける。つまり、図２、図７に示すように、第４の小扉１４が室内側に押されると、第４の小扉１４の下部に設けられた当接部１４ｃが、第３の小扉１３の上部に設けられた被当接部１３ｄに当接して、第３の小扉１３が第４の小扉１４と一体となって開く。また、第３の小扉１３が開くと、第３の小扉１３の下部に設けられた当接部１３ｃが、第２の小扉１２の上部に設けられた被当接部１２ｄに当接して、第２の小扉１２が第３の小扉１３と一体となって開く。さらに、第２の小扉１２が開くと、第２の小扉１２の下部に設けられた当接部１２ｃが、第１の小扉１１の上部に設けられた被当接部１１ｄに当接して、第１の小扉１１が第２の小扉１２と一体となって開く。このように第１〜第４の小扉１１〜１４が開かれた後、消防隊員は、開けられた第１〜第４の小扉１１〜１４のところから室内の状況を確認したり、室内に進入したりする。
【００３２】
また、室内空間にいる消防隊員が外部空間に戻る際には、何れかの小扉１１〜１４に付設された取手１６…を引くことで扉１が室内側から開けられる。つまり、第１の小扉１１の取手１６を引くと当該第１の小扉１１だけが開き、第２の小扉１２の取手１６を引くと第１の小扉１１と第２の小扉１２とが一体に開き、第３の小扉１３の取手１６を引くと第１の小扉１１と第２の小扉１２と第３の小扉１３とが一体に開き、最上段にある第４の小扉１４を開くと全ての小扉１１〜１４が一体に開く。
【００３３】
上記した構成からなる扉１によれば、複数の小扉１１〜１４が上下方向に並設された構成からなるため、図４〜図７に示すように、火煙Ｆが達している小扉１２〜１４を閉じたまま、火煙Ｆが達していない他の小扉１１〜１３だけを開けることができる。このとき、火煙Ｆが達している小扉１２〜１４は閉じられているため、室内の火煙Ｆが外部空間側に噴出することがない。これにより、内部拠点が無くても、消防隊員が室内に安全に進入することができる。したがって、内部拠点を不要とすることができ、日常時に使用される室内の有効スペースを広げることができる。また、内部拠点に設置する給気加圧設備も不要であるため、設備コストの低減を図ることができる。
【００３４】
また、上記した構成からなる扉１によれば、小扉１２〜１４は、この小扉１２〜１４が開けられるときにその直ぐ下に配設された他の小扉１１〜１３に係合される構成になっているため、小扉１１〜１４を開けるときに、開ける小扉１１〜１４のうちで最も上段にある小扉を開けることで、その小扉１２〜１４より下段の小扉１１〜１３も一緒に開けられる。これにより、複数の小扉１１〜１４をそれぞれ別々に開閉する煩雑さがなくなり、消防活動の効率化を図ることができる。
【００３５】
また、上記した構成からなる扉１によれば、上下の小扉１１〜１４の対向する上端面１１ａ〜１３ａおよび下端面１２ｂ〜１４ｂはそれぞれ段状に形成されており、下側の小扉１１〜１３の上端面１１ａ〜１３ａと上側の小扉１２〜１４の下端面２ｂ〜１４ｂとは噛み合わされているため、室内の煙が上下の小扉１１〜１４の隙間から流出し難くなる。これにより、外部空間を安全な空間に保つことができ、安心できる消防活動拠点を維持することができる。
【００３６】
また、上記した構成からなる扉１によれば、扉の外から室内の火災状況を検知するための火災状況検知手段（室内観察窓１５）が設けられているため、室内の燃え広がり状況を把握し、火煙Ｆがどの小扉１１〜１４まで達しているかを確認し、開けても安全な小扉だけを確実に選んで開けることができる。これにより、扉１を開ける際の火煙Ｆの噴出を確実に防止することができ、安全性を更に向上させることができる。
【００３７】
また、上記した構成からなる扉１によれば、火災状況検知手段が、扉１の外から室内を観察するための室内観察窓１５であるため、室内観察窓１５により扉１の外から室内を覗き見て、室内の燃え広がり状況を確認することができる。これにより、室内の火災状況を簡単に検知することができる。
【００３８】
また、上記した構成からなる扉１によれば、室内観察窓１５…の蓋１５ｂ…は、断熱性の有する材料で形成されているため、室内観察窓１５…のガラス１５ａ…を通しての室内側からの火煙Ｆの輻射を遮断することができる。これによって、外部空間を安全な空間に保つことができ、安心できる消防活動拠点を維持することができる。
【００３９】
また、上記した構成からなる扉１によれば、既存施設に備えられた他の扉と交換するだけでよいため、簡単に設置することができる。また、室内観察窓１５…の蓋１５ｂ…の配置や色を変えることで、デザイン性や視認性の向上を図ることができる。さらに、防火ダンパーが閉鎖しない居室の機械排煙と組み合わせることで、屋外空間側の圧力を高くすることができ、さらに安全性を向上させることができる。
【００４０】
以上、本発明に係る扉の実施の形態について説明したが、本発明は上記した実施の形態に限定されるものではなく、その趣旨を逸脱しない範囲で適宜変更可能である。例えば、上記した実施の形態では、４枚の小扉１１〜１４を縦に並べられているが、本発明は、小扉の数を適宜変更させることができ、５枚以上の小扉を縦に並べてもよく、或いは２〜３枚の小扉を縦に並べてもよい。なお、小扉の数や高さを代えることで本発明に係る扉1の高さを自由に設定することができる。
【００４１】
また、上記した実施の形態では、複数の小扉１１〜１４が、室内側に開く片側開き戸形式の扉にそれぞれなっているが、本発明は、複数の小扉が両開き扉形式の扉になっていてもよく、或いは、外部空間側に開く開き戸形式の扉であってもよい。
【００４２】
また、上記した実施の形態では、各小扉１１〜１４が室内空間側にそれぞれ開き、各小扉１１〜１４の開き側の面に取手１６…がそれぞれ取り付けられているが、本発明は、これら取手１６…が付設されていなくてもよい。例えば、複数の小扉が、室内空間側および外部空間側にそれぞれ開く両方向に開く構成からなり、外部空間から室内空間に進入する際だけでなく、室内空間から外部空間に戻る際にも、小扉を押して開くようにしてもよい。
【００４３】
また、上記した実施の形態では、火災状況検知手段として、各小扉１１〜１４に室内観察窓１５…がそれぞれ設けられているが、本発明は、小扉に室内観察窓が設けられていない構成であってもよい。例えば、室内観察窓以外の火災状況検知手段としては、室内温度を検知して火災状況を検知する方法がある。小扉に火災状況検知手段が設けられていない場合、まず始めに、１番下の小扉を開けて室内の状況を確認し、それから上の小扉を適宜開けるようにすることで、室内の火煙が噴出する可能性は低くなる。
【００４４】
また、上記した実施の形態では、小扉１２〜１４が、その直ぐ下の他の小扉１１〜１３と一体に開閉される構成になっているが、本発明は、各小扉がそれぞれ別々に開く構成であってもよい。この場合、複数の小扉を開ける際には、各小扉をそれぞれ開ける必要がある。
【００４５】
また、上記した実施の形態では、小扉１１〜１４の上下端面が段状に形成されているが、本発明は、小扉の上下端面が段状になっていなくてもよい。例えば、小扉の対向する上下端面を斜めに傾斜する傾斜面にしてもよい。このとき、扉開き方向側に上向きに傾斜する傾斜面にすることで、上段の小扉を開閉させた際に、その直ぐ下の小扉も一体に開閉させることができる。また、上段の小扉の下部に当接部材を付設するとともにその直ぐ下の小扉の上部に被当接部材を付設することができる。これにより、上の小扉が開くときに、その小扉に付設された当接部材が下の小扉の被当接部に当接され、上の小扉と一体に下の小扉を開閉させることができる。
【００４６】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４７】
【図１】本発明の実施の形態を説明するための扉の立面図である。
【図２】本発明の実施の形態を説明するための扉の縦断面図である。
【図３】本発明の実施の形態を説明するための扉の横断面図である。
【図４】本発明の実施の形態を説明するための小扉を開けた状態を表す扉の縦断面図である。
【図５】本発明の実施の形態を説明するための小扉を開けた状態を表す扉の縦断面図である。
【図６】本発明の実施の形態を説明するための小扉を開けた状態を表す扉の縦断面図である。
【図７】本発明の実施の形態を説明するための小扉を開けた状態を表す扉の縦断面図である。
【符号の説明】
【００４８】
１  扉
２  出入口
１１  第１の小扉（小扉）
１２  第２の小扉（小扉）
１３  第３の小扉（小扉）
１４  第４の小扉（小扉）
１５  室内観察窓
【図１】
2008106453.tif 000003
【図２】
2008106453.tif 000004
【図３】
2008106453.tif 000005
【図４】
2008106453.tif 000006
【図５】
2008106453.tif 000007
【図６】
2008106453.tif 000008
【図７】
2008106453.tif 000009